(57)【要約】【課題】この発明は、既存の照明装置では経験できない、彩り豊かな景観照明が可能な自発光式点灯装置及び自発光式点灯装置を利用した景観演出装置を提供する。【解決手段】外部から受光した光線により発電する発電部４と、該発電部４から供給された電力を蓄電する蓄電部５と、該蓄電部５から供給された電力により駆動されて放射状に発光する複数の光源６と、該光源６の発光状態を制御する制御部７と、を備え、各光源６は、異なる方向へ異なる色で発光することを特徴とする。【選択図】図１
2016225067.tif 000002
【特許請求の範囲】
【請求項１】
自然力により発電する発電部と、
該発電部から供給された電力を蓄電する蓄電部と、
該蓄電部から供給された電力により駆動されて発光する複数の光源と、
該光源の発光状態を制御する制御部と、を備え、
前記各光源は、異なる方向へ向けて異なる色で発光することを特徴とする自発光式点灯装置。
【請求項２】
前記発電部は、太陽光により発電することを特徴とする請求項１に記載の自発光式点灯装置。
【請求項３】
前記発電部、蓄電部、光源、制御部が同一の筐体内に収容されたことを特徴とする請求項２に記載の自発光式点灯装置。
【請求項４】
前記複数の光源は、各光源から放射状に発光する光の光軸が同一平面に位置するように配列されていることを特徴とする請求項１から３のいずれか１項に記載の自発光式点灯装置。
【請求項５】
前記制御部は、前記光源を徐々に明るくするソフトオン工程と、徐々に暗くするソフトオフ工程とを繰り返し行うことを特徴とする請求項１から４のいずれか１項に記載の自発光式点灯装置。
【請求項６】
前記光源は、ホワイト素子を中心として、バイオレット、ブルー、グリーン、オレンジ、イエローのカラー素子が、該ホワイト素子の周囲に配置されることを特徴とする請求項１から５のいずれか１項に記載の自発光式点灯装置。
【請求項７】
前記光源は、鑑賞者の観る位置に対応して、前記光源から発せられる光の放射角度及び該光の重なる混色範囲が調整されていることを特徴とする請求項１から６のいずれか１項に記載の自発光式点灯装置。
【請求項８】
前記筐体には地面に固定するための締結手段が具備されており、
前記締結手段は、前記光源を含む前記筐体の向きを調整するための角度調整用のアジャスト機構を有していることを特徴とする請求項１から７のいずれか１項に記載の自発光式点灯装置。
【請求項９】
外光の光度を検出するための明るさセンサーを有し、
前記制御部は、前記明るさセンサーで検出された外光の光度が、予め設定した基準値を下回った場合に、前記光源を発光させることを特徴とする請求項８に記載の自発光式点灯装置。
【請求項１０】
前記光源から発せられる光は、該光源の発光開始から一定時間後に消灯されることを特徴とする請求項９に記載の自発光式点灯装置。
【請求項１１】
請求項１から１０のいずれか１項に記載の自発光式点灯装置を川の沿道に沿って所定間隔で配置したことを特徴とする景観演出装置。
【発明の詳細な説明】
【技術分野】
【０００１】
本発明は、彩り豊かな景観照明が可能な自発光式点灯装置及び自発光式点灯装置を利用した景観演出装置に関する。
【背景技術】
【０００２】
従来の自発光式点灯装置として、例えば、特許文献１及び２に示される技術が提供されている。
特許文献１には、ソーラーパネルと、該ソーラーパネルで得られる電気を貯蔵する蓄電部と、該蓄電部から供給される電流によって発光する発光ダイオードとを、透光性プラスチックからなるレンズ部を備えたレンズ付筐体内に内蔵した構成の照明装置が開示されている。
【０００３】
また、特許文献２には、自発光体及び該自発光体を発光させるための太陽電池と蓄電体とを、上部が開口された本体ケースと、該本体ケースの開口を塞ぐ透光性を有する上面カバーとからなる筐体に内蔵し、前記自発光体から出射される光が残像効果により常灯しているように見える周期で点滅発光するようになされた自発光式道路鋲が開示されている。
【先行技術文献】
【特許文献】
【０００４】
【特許文献１】特開２００６−９９９９８号公報
【特許文献２】特開２００６−５７４１４号公報
【発明の概要】
【発明が解決しようとする課題】
【０００５】
ところで、特許文献１及び２に示される発光装置は、太陽光により発電した電気エネルギーで光源を発光させるものであるが、いずれの技術も、屋外や道路埋設が可能な照明装置、又は歩行者及び自転車といった道路利用者に対して注意喚起するための警告装置として使用されるものであり、特別な景観の演出を行うために利用されるものではない。
また、特許文献１及び２に示される発光装置を、仮に景観照明として利用できたとしても、単に、光が点灯又は点滅するだけのものであり、照明を用いて多様な演出をするには不向きである。
【０００６】
この発明は、上述した事情に鑑みてなされたものであって、既存の照明装置では実現することができない、彩り豊かな景観照明が可能な自発光式点灯装置及び自発光式点灯装置を利用した景観演出装置を提供するものである。
【課題を解決するための手段】
【０００７】
上記課題を解決するために、この発明は以下の手段を提案している。
すなわち、本発明に示される自発光式点灯装置は、自然力により発電する発電部と、該発電部から供給された電力を蓄電する蓄電部と、該蓄電部から供給された電力により駆動されて発光する複数の光源と、該光源の発光状態を制御する制御部とを備え、前記各光源は、異なる方向へ向けて異なる色で発光することを特徴とする。また前記自然力として、例えば太陽光が用いられる。
【発明の効果】
【０００８】
本発明によれば、各光源は異なる方向へ異なる色で発光することから、各光源から発せられる光の帯に交差するように鑑賞者が歩行した場合に、当該鑑賞者は、様々な光の色が移り変わるような景観を体験することができる。
また、本装置を川岸に並べて設置し、かつ各光源からの光を、徐々に明るくするソフトオン工程と、徐々に暗くするソフトオフ工程とを繰り返し行う制御内容を制御部に設定すれば、各光源から発せられる様々な色の点灯により、蛍を連想させるような幻想的な雰囲気を演出することができ、その結果、彩り豊かな景観照明を実現することが可能となる。
また、本発明では、光源の点灯を、外部から受光した光線により発電する発電部と、該発電部から供給された電力を蓄電する蓄電部とを動力とする自発光式により個別に行うようにした構成であるので、本装置への特別な配線作業が不要となり、その設置を簡単に行うことができる。
また、複数の光源を、各光源から放射状に発光する光の光軸が同一平面に位置するように配列し、さらに地面に対する該光源からの光の放射角度を、締結手段の角度調整用アジャスト機構により調整すれば、鑑賞者の鑑賞高さに合わせて、光の放射を最適に行うことも可能となる。
また、外光の光度を検出するための明るさセンサーを設けておき、制御部にて、該明るさセンサーで検出された外光の光度が、予め設定した基準値を下まわった場合に、光源を自動発光させるとともに、該光源の発光開始から一定時間後に消灯させる設定を行なえば、装置を適切な時間内に駆動させることができ、該装置に過剰な負荷を掛けることが防止できる。
また、光源として、ホワイト素子を中心としてバイオレット、ブルー、グリーン、オレンジ、イエローなどのカラー素子が位置するように光源を構成するとともに、該光源を、鑑賞者の観る位置に対応して光の放射角度及び該光が重なる混色範囲を調整しておけば、さらに幻想的な雰囲気の彩り豊かな景観照明を実現することも可能となる。
また、太陽光により発電する発電部、蓄電部、光源及び制御部を筐体に一体に収容することにより、格別な配線等を伴うことなく、自立的に点灯、消灯、点滅等の動作をすることができるので、単に川岸等に設置するだけの簡単な設置作業により景観演出を実現することができる。
【図面の簡単な説明】
【０００９】
【図１】（Ａ）は本発明の一実施形態に係る自発光式点灯装置の平面図、（Ｂ）は図１（Ａ）の概略構成を示すブロック図である。
【図２】図１（Ａ）を矢印ＩＩ方向から視た正面図である。
【図３】図１（Ａ）を矢印ＩＩＩ方向から視た側面図である。
【図４】図１（Ａ）をＩＶ−ＩＶ線で切断した断面図である。
【図５】自発光式点灯装置をスパイクで地面に固定した場合の側面図である。
【図６】自発光式点灯装置を河川に沿って複数配置して景観演出装置を構成した例の斜視図である。
【図７】自発光式点灯装置を複数配置した景観演出装置を示す図であって、（Ａ）は平面図、（Ｂ）は（Ａ）の横方向に沿う断面図である。
【図８】自発光式点灯装置を複数配置した図７とは異なる景観演出装置を示す図であって、（Ａ）は平面図、（Ｂ）は（Ａ）の横方向に沿う断面図である。
【発明を実施するための形態】
【００１０】
本発明の一実施形態について図１〜図８を参照して説明する。
図１（Ａ）〜図４は本発明に係る自発光式点灯装置１００の平面図、正面図、側面図、断面図をそれぞれ示すものであって、これら図において符号１は本体ケースとなる筐体を示している。
この筐体１は、地面Ｇ又は地面Ｇ上のコンクリートＣに直接接触されるベース部材２と、ベース部材２の縁部上に被せられるカバー部材３とから構成される。
【００１１】
筐体１のベース部材２上には、外光により発電を行う発電部４と、発電部４で発電された電力を蓄電する蓄電部５と、蓄電部５から供給された電力により駆動される複数の光源６と、これら光源６の発光状態を制御する制御部７とが収容されている。
【００１２】
発電部４はソーラーパネルにより構成されるものであって、図１（Ａ）に示されるように、筐体１の中央部に複数枚が配置されている。なお、この実施形態のソーラーパネルに代えて、風力、水力等の自然力により発電する発電手段を用いるようにしても良い。特に、川岸や海岸線に沿って配置する場合には、河川の水流、海水の波動等を用いた発電手段から電源を供給するようにしても良い。
蓄電部５は発電部４の下部に配置されているものであって、リチウム電池などの二次電池、あるいはコンデンサなどのキャパシタにより構成されている。
【００１３】
光源６は、ＬＥＤからなる発光素子であって、筐体１の一縁部に沿って円弧状に複数配列され、かつ発光された光を外方に向けて放射状に発する。
また、図１（Ａ）に示されるように、光源６として、ホワイト素子６Ａ・６Ｂを中心としてバイオレット、ブルー、グリーン、オレンジ、イエローなどのカラー素子６Ｃ〜６Ｆが位置するように構成されるとともに、これらホワイト素子６Ａ・６Ｂ及びカラー素子６Ｃ〜６Ｆからなる発光素子を、鑑賞者の観る位置に対応して光の放射角度及び該光の重なる混色範囲を予め調整しておくことにより、彩り豊かな景観照明を実現可能とする。
【００１４】
また、これら光源６を構成するホワイト素子６Ａ・６Ｂ及びカラー素子６Ｃ〜６Ｆからなる発光素子は、各光源６から放射状に発光する光の光軸６ａ〜６ｆが、同一平面となるように位置調整されており、このような位置調整によって、各光源６から発せられる（光軸６ａ〜６ｆの周囲の）光の帯１０に交差するように鑑賞者が歩行した場合に、当該鑑賞者は、様々な光の色が移り変わるような景観を体験することができる（図７、図８参照）。
なお、本例では、カラー素子６Ｃ〜６Ｆとして、「バイオレット」、「ライトブルー」、「グリーン」、「ブルー」の組み合わせの他、「オレンジ」、「イエロー」、「ピンク」、「レッド」の組み合わせが採用される。
【００１５】
また、制御部７には、図１（Ａ）及び図１（Ｂ）のブロック図に示されるように、外光の光度を検出するための明るさセンサー１１が接続されている。
そして、制御部７では、明るさセンサー１１で検出された外光の光度が、予め設定した基準値を下回った場合に、光源６の発光を開始させるとともに、内蔵したタイマー７Ａでの計測により発光開始時間から予め設定した点灯時間（例えば、５時間）後に、消灯するように発光／消灯制御する。なおタイマー７Ａを用いることなく、蓄電部５に蓄電される電力量に任せて、その出力電力の低下により自然に、あるいは、電力低下の検出によって制御部７の制御により消灯させるようにしても良い。
【００１６】
また、制御部７への点灯時間の設定及び基準値となる明るさ設定は、図１（Ｂ）のブロック図に示されるように、無線信号を介して外部の操作部１２から行うようにすると良い。
また、明るさセンサー１１の検出信号を用いて光源６の発光開始時間を決定することに限定されず、制御部７にて、発電部４の出力が所定以下となったことにより日没を判定し、光源６の発光開始時間を決定したり、タイマーを用いて時刻による制御をしても良い。
【００１７】
また、制御部７では、光源６を構成するホワイト素子６Ａ・６Ｂ及びカラー素子６Ｃ〜６Ｆからの各光を、徐々に明るくするソフトオン工程と、徐々に暗くするソフトオフ工程とを数秒程度の周期で繰り返し行う制御内容を設定しておく。そして、このような制御内容に基づく各光源６の個別の点滅によって、蛍を連想させるような幻想的な雰囲気を演出することができ、その結果、彩り豊かな景観照明を実現することが可能となる。
【００１８】
また、制御部７では、光源６を構成する単一色のホワイト素子６Ａ・６Ｂ及びカラー素子６Ｃ〜６Ｆを点滅させるようにしたが、これに限定されずに、各光源６にマルチカラーの発光素子を使用し、各発光素子において色を変えつつ、徐々に明るくするソフトオン工程と、徐々に暗くするソフトオフ工程とを繰り返し行うようにしても良い。
【００１９】
また、上述したような消灯制御は、制御部７のタイマー７Ａを使用したことに限定されず、電力を蓄電する蓄電部５の容量を予め調整しておくことにより行っても良い。すなわち、光源６の発光開始からの点灯時間を短く設定したいのであれば、小容量の蓄電部５を使用し、また、光源６の発光開始からの点灯時間を長く設定したいのであれば、大容量の蓄電部５を使用すると良い。
【００２０】
これとともに、ソーラーパネルとなる発電部４の大きさは外光（主に太陽光）の受光効率に応じて定めても良い。
具体的には、太陽光を十分に受けることができない場合（樹木等の陰になる、太陽光に対して大きく斜めの角度になる等）には発電部４の面積を大きく設定し、また、太陽光を十分に受けることができる場合（樹木等の陰にならない、太陽光に対して直角又はそれに近い角度になる等）には発電部４の面積を小さく設定すると良い。
【００２１】
次に、図１〜図５を参照して、筐体１及び該筐体１の地面Ｇへの設置手段について説明する。
筐体１は、地面Ｇ又は地面Ｇ上のコンクリートＣに接触されるベース部材２と、ベース部材２の縁部上に被せられるカバー部材３とから構成されるが、これらベース部材２及びカバー部材３は高強度とされる鋳物等の金属材料８で形成される。
また、カバー部材３は、図４に示されるように、発電部４にて外光を取り込むとともに光源６の光を外部に発光するために、これら発電部４に臨む上面箇所、及び光源６に臨む前方の側部箇所が透明材料９で形成される。この透明材料９としては、光の透過性が良くかつ高強度なポリカーボネートが選択される。
【００２２】
また、筐体１には、該筐体１を地面Ｇに固定するための締結手段２０が設けられている。
この締結手段２０は、本例では、ベース部材２を貫通する２つのねじ部材２１、２３及びこれらねじ部材２１、２３がねじ込まれる埋め込みナット２４、２６と、ベース部材２にねじ込まれて取り付け面を押す押しボルト２２とからなるものである。
これらねじ部材２１、２３は、筐体１の両側部にて該筐体１を貫通し、押しボルト２２は、筐体１の前端部にねじ込まれて貫通するように設けられている。
埋め込みナット２４、２６は、自発光式点灯装置１００が設置される地面Ｇ上のコンクリートＣ内に埋め込まれるものであって、その上部位置にて、筐体１を貫通したねじ部材２１、２３が螺合される。
【００２３】
なお、締結手段２０のねじ部材２１、２３は、筐体１を固定するとともに、その締め込みの程度と押しボルト２２をねじ込んでベース部材２の下面から突出する量を調整することにより、該筐体１の向きを上下方向、左右方向（平面方向）に角度調整して、光源６の発光角度を調整する角度調整用のアジャスト機構を兼ねている。
そして、このアジャスト機構により、光源６から発せられる（光軸６ａ〜６ｆの周囲の）光の帯１０が、鑑賞者の目線に一致するように筐体１の固定箇所が調整されるものである。
【００２４】
また、土手の法面等の土の地面Ｇに設置する場合には、図５に示されるように、埋め込みボルト２４〜２６に代えてスパイク２７を突き刺し、該スパイク２７上に一体に設けられた基台２８へのねじ部材２１、２３のねじ込み量を調整し、また、押しボルト２２の押し上げ量を調整することにより、筐体１を固定するとともに、その締結の程度から、該筐体１の向きを上下方向、左右方向（平面方向）に角度調整しても良い。
さらに、締結手段２０にねじ部材２１〜２３を使用することなく、筐体１あるいはベース部材２にスパイク２７を直接連結し、これによって筐体１を地面Ｇに固定しても良い。この場合、スパイク２７を地面Ｇに差し込む角度を調整することにより、光線の照射角度、方向を任意に設定することができる。
なお、筐体１をコンクリートＣに固定するためのねじ部材２１〜２３の本数は実施形態に限定されるものではない。また、スパイク２７の数は単数に限られず、複数本設けるようにしても良い。
【００２５】
次に、上記のように構成された自発光式点灯装置１００を複数配置した景観演出装置２００について、図６〜図８を参照して説明する。
図６は、自発光式点灯装置１００を複数配置した景観演出装置２００の例を示す斜視図であって、河川５０に沿う川岸５１、５３に一定の間隔をおいて複数台の自発光式点灯装置１００が配置されている。
このような景観演出装置２００では、一方側に位置する川岸５１、５３から他方側の川岸５１、５３に向けて複数の光源６を点滅発光させ、かつこれら点滅発光を対岸の遊歩道５２、５４から鑑賞することで、彩り豊かな景観照明を実現することを可能とするものであって、以下の図７及び図８に示すような、自発光式点灯装置１００の２つの配置パターンが示されている。
【００２６】
図７（Ａ）の平面図、図７（Ｂ）の横方向に沿う断面図に示されるように、一実施形態に係る景観演出装置２００では、河川５０の一方側に位置する土手の一方の川岸５１に一定の間隔をおいて自発光式点灯装置１００が複数台配置される。
その際、自発光式点灯装置１００の光源６から発せられる光の帯１０が、対岸の遊歩道５２を歩く鑑賞者の目線に合致するように、該自発光式点灯装置１００を配列させるようにする。
そして、上記自発光式点灯装置１００では、各光源６が異なる方向へ異なる色で発光することから、各光源６から発せられる光の帯１０に交差するように、遊歩道５２に沿って鑑賞者が歩行した場合に、当該鑑賞者は、様々な光の色が移り変わるような景観を体験することができる。
さらに、上記自発光式点灯装置１００では、各光源６からの光を、徐々に明るくするソフトオン工程と、徐々に暗くするソフトオフ工程とを繰り返し行う制御が行われるので、各光源６から発せられる様々な色の点灯により、蛍を連想させるような幻想的な雰囲気を演出することができ、その結果、彩り豊かな景観照明を実現することが可能となる。
【００２７】
なお、上記景観演出装置２００では、河川５０の一方側に位置する土手の川岸５１に一定の間隔をおいて自発光式点灯装置１００を配置したが、これに限定されず、図８（Ａ）の平面図、図８（Ｂ）の横方向に沿う断面図に示されるように、河川５０の他方側に位置する土手の他方の川岸５３にも一定の間隔をおいて自発光式点灯装置１００を配置し、該自発光式点灯装置１００の光源６から対岸の遊歩道５４に向けて点滅を行うようにしても良い。
これにより、河川５０の各側の遊歩道５２、５４にて、鑑賞者は、様々な光の色が移り変わる景観照明を体験することができる。
【００２８】
このとき、図８（Ａ）、図８（Ｂ）に示される景観演出装置２００において、河川５０の一方側の川岸５１に設けた自発光式点灯装置１００の光源６、及び河川５０の他方側の川岸５３に設けた自発光式点灯装置１００の光源６の発光色を異ならせるようにしても良い。
具体的には、河川５０の一方側の川岸５１に設けた自発光式点灯装置１００において、光源６のカラー素子６Ｃ〜６Ｆを「バイオレット」、「ライトブルー」、「グリーン」、「ブルー」で点滅発光させ、また、河川５０の他方側の川岸５３に設けた自発光式点灯装置１００において、光源６のカラー素子６Ｃ〜６Ｆを「オレンジ」、「イエロー」、「ピンク」、「レッド」で点滅発光させることにより、各側の遊歩道５２、５４において異なる雰囲気を演出するようにしても良い。
【００２９】
以上詳細に説明したように本実施形態に係る自発光式点灯装置１００によれば、各光源６は異なる方向へ異なる色で発光することから、各光源６から発せられる光の帯１０に交差するように鑑賞者が歩行した場合に、当該鑑賞者は、様々な光の色が移り変わるような景観を体験することができる。
このとき、本装置１００を川岸に並べて設置し、かつ各光源６からの光を、徐々に明るくするソフトオン工程と、徐々に暗くするソフトオフ工程とを繰り返し行う制御内容を制御部７に設定したので、各光源６から発せられる様々な色の点灯により、蛍を連想させるような幻想的な雰囲気を演出することができ、その結果、彩り豊かな景観照明を実現することが可能となる。
また、本実施形態に係る自発光式点灯装置１００では、光源６の点灯を、外部から受光した光線により発電する発電部４と、該発電部４から供給された電力を蓄電する蓄電部５とを動力とする自発光式により個別に行うようにした構成であるので、特別な配線作業が不要となり、その設置を簡単に行うことができる。
【００３０】
また、本実施形態に係る自発光式点灯装置１００では、複数の光源６を、各光源６から放射状に発光する光の光軸６ａ〜６ｆが同一平面に位置するように配列し、さらに地面Ｇに対する該光源６からの光の放射角度を、締結手段２０の角度調整用アジャスト機構により調整すれば、鑑賞者の鑑賞高さに合わせて、光の放射を最適に行うことも可能となる。
また、本実施形態に係る自発光式点灯装置１００では、外光の光度を検出するための明るさセンサー１１を設けておき、制御部７にて、該明るさセンサー１１で検出された外光の光度が、予め設定した基準値を下回った場合に、光源６を自動発光させるとともに、該光源６から発せられた光を、発光開始から一定時間後（例えば、５時間後）に消灯させるように設定したので、該自発光式点灯装置１００を適切な時間内に駆動させることができ、該装置１００に過剰な負荷を掛けることが防止できる。
また、本実施形態では、筐体１とベース部材２とベース部材２の縁部上に被せられるカバー部材３とから構成される本体の内部に、発電部４と蓄電部５と複数の光源６と制御部７との全部を収容することにより、個々の装置が外部から照明用電力や制御信号の供給を受けることなく、自立的に点灯、消灯、点滅することができ、したがって、単に装置を遊歩道等に取り付けるだけで、格別な配線作業を伴うことなく容易に実施することができる。
【００３１】
また、本実施形態に係る自発光式点灯装置１００では、光源６として、ホワイト素子６Ａ・６Ｂを中心としてバイオレット、ブルー、グリーン、オレンジ、イエローなどのカラー素子６Ｃ〜６Ｆを配置するとともに、該光源６を、鑑賞者の観る位置に対応して光の放射角度及び該光が重なる混色範囲を調整することにより、さらに幻想的な雰囲気の彩り豊かな景観照明を実現することも可能となる。
また、本実施形態に係る自発光式点灯装置１００では、発電部４、蓄電部５、光源６及び制御部７を収容する筐体１を、発電部４及び光源６に臨む箇所を高強度な透明材料９で形成し、それ以外を鋳物などの高強度な金属材料８で形成することにより、光の入射及び出射に影響を与えず、踏み付けなどの障害により自発光式点灯装置１００を保護することができる。
【００３２】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００３３】
本発明は、彩り豊かな景観照明が可能な自発光式点灯装置及び自発光式点灯装置を利用した景観演出装置に関する。
【符号の説明】
【００３４】
１  筐体
２  ベース部材
３  カバー部材
４  発電部
５  蓄電部
６  光源
７  制御部  
８  金属材料
９  透明材料
１０  光の帯
１１  明るさセンサー
１２  操作部
２０  締結手段（アジャスト機構）
１００  自発光式点灯装置
２００  景観演出装置
Ｇ  地面
【図１】
2016225067.tif 000003
【図２】
2016225067.tif 000004
【図３】
2016225067.tif 000005
【図４】
2016225067.tif 000006
【図５】
2016225067.tif 000007
【図６】
2016225067.tif 000008
【図７】
2016225067.tif 000009
【図８】
2016225067.tif 000010